(57)【特許請求の範囲】
【請求項１】
文字多重放送を受信する放送受信部と、
この放送受信部によって受信された上記文字多重放送を表示部に表示させる表示制御部と、
上記放送受信部によって受信された上記文字多重放送のデータを他の機器に送信するデータ送信部と
を有する文字多重放送データ送信機。
【請求項２】
請求項１に記載の文字多重放送データ送信機において、
上記データ送信部は、上記放送受信部によって受信された上記文字多重放送のデータを格納したアドレス情報を上記他の機器に送信する
ようにした文字多重放送データ送信機。
【請求項３】
請求項２に記載の文字多重放送データ送信機において、
上記データ送信部は、上記文字多重放送のデータを示すインデックス画面のデータを上記他の機器に送信する
ようにした文字多重放送データ送信機。
【請求項４】
文字多重放送を受信して第１の表示部に表示させる他の機器から、その文字多重放送のデータを受信するデータ受信部と、
上記データ受信部によって受信された上記文字多重放送のデータに基づいて、表示データを生成するとともに、その表示データによる情報を第２の表示部に表示させる表示制御部と
を有する文字多重放送データ受信機。
【請求項５】
請求項４に記載の文字多重放送データ受信機において、
上記データ受信部は、上記他の機器から上記文字多重放送のデータを格納したアドレス情報をさらに受信し、
上記表示制御部は、上記アドレス情報に基づいて、上記第２の表示部に表示させる情報を上記他の機器から選択可能に制御する
ようにした文字多重放送データ受信機。
【請求項６】
請求項５に記載の文字多重放送データ受信機において、
上記データ受信部は、上記文字多重放送のデータを示すインデックス画面をさらに受信し、
上記表示制御部は、上記データ受信部によって受信された上記インデックス画面を上記第２の表示部に表示させる
ようにした文字多重放送データ受信機。
【請求項７】
請求項４に記載の文字多重放送データ受信機において、
文字多重放送を受信する放送受信部を有し、
上記表示制御部は、上記放送受信部によって受信した文字多重放送のデータと、上記データ受信部によって受信した文字多重放送のデータとを、上記第２の表示部のそれぞれ異なる領域に表示させる
ようにした文字多重放送データ受信機。
【請求項８】
第１の機器と第２の機器とから構成されるデータ送受信システムにおいて、
上記第１の機器は、
文字多重放送を受信する第１の放送受信部と、
この放送受信部によって受信された上記文字多重放送を第１の表示部に表示させる第１の表示制御部と、
上記第１の放送受信部によって受信された上記文字多重放送のデータを上記第２の機器に送信するデータ送信部と
を有し、
上記第２の機器は、
上記第１の機器の上記データ送信部より送信される上記文字多重放送を受信するデータ受信部と、
上記データ受信部によって受信された上記文字多重放送のデータに基づいて、表示データを生成するとともに、その表示データによる情報を第２の表示部に表示させる第２の表示制御部と
を有するデータ送受信システム。
【請求項９】
請求項８に記載のデータ送受信システムにおいて、
上記第２の機器は、文字多重放送を受信する第２の放送受信部を有し、
上記第２の表示制御部は、上記第２の放送受信部によって受信した文字多重放送のデータと、上記データ受信部によって受信した文字多重放送のデータとを、上記第２の表示部のそれぞれ異なる領域に表示させる
ようにしたデータ送受信システム。
【請求項１０】
文字多重放送を受信する放送受信ステップと、
この放送受信ステップによって受信された上記文字多重放送を表示部に表示させる表示ステップと、
上記放送受信ステップによって受信された上記文字多重放送のデータを他の機器に送信するデータ送信ステップと
を有する文字多重放送データ送信方法。
【請求項１１】
請求項１０に記載の文字多重放送データ送信方法において、
上記データ送信ステップは、上記放送受信ステップによって受信された上記文字多重放送のデータを格納したアドレス情報を上記他の機器に送信する
ようにした文字多重放送データ送信方法。
【請求項１２】
請求項１１に記載の文字多重放送データ送信方法において、
上記データ送信ステップは、上記文字多重放送のデータを示すインデックス画面のデータを上記他の機器に送信する
ようにした文字多重放送データ送信方法。
【請求項１３】
文字多重放送を受信して第１の表示部に表示させる他の機器から、その文字多重放送のデータを受信するデータ受信ステップと、
上記データ受信ステップによって受信された上記文字多重放送のデータに基づいて、表示データを生成するとともに、その表示データによる情報を第２の表示部に表示させる表示ステップと
を有する文字多重放送データ受信方法。
【請求項１４】
請求項１３に記載の文字多重放送データ受信方法において、
上記データ受信ステップは、上記他の機器から上記文字多重放送のデータを格納したアドレス情報をさらに受信し、
上記表示ステップは、上記アドレス情報に基づいて、上記第２の表示部に表示させる情報を上記他の機器から選択可能に表示する
ようにした文字多重放送データ受信方法。
【請求項１５】
請求項１４に記載の文字多重放送データ受信方法において、
上記データ受信ステップは、上記文字多重放送のデータを示すインデックス画面をさらに受信し、
上記表示ステップは、上記データ受信ステップによって受信された上記インデックス画面を上記第２の表示部に表示させる
ようにした文字多重放送データ受信方法。
【請求項１６】
請求項１３に記載の文字多重放送データ受信方法において、
文字多重放送を受信する放送受信ステップ
をさらに有し、
上記表示ステップは、上記放送受信ステップによって受信した文字多重放送のデータと、上記データ受信ステップによって受信した文字多重放送のデータとを、上記第２の表示部のそれぞれ異なる領域に表示させる
ようにした文字多重放送データ受信方法。
【請求項１７】
第１の機器と第２の機器とでデータの送受信を行うシステムの表示方法において、
上記第１の機器において、文字多重放送を受信する第１の放送受信ステップと、
この第１の放送受信ステップによって受信された上記文字多重放送のデータを第１の表示部に表示させる第１の表示ステップと、
上記第１の放送受信ステップによって受信された上記文字多重放送のデータを上記第１の機器から上記第２の機器に送信するデータ送信ステップと、
上記第２の機器において、上記データ送信ステップによって送信される上記文字多重放送を受信するデータ受信ステップと、
上記データ受信ステップによって受信された上記文字多重放送のデータに基づいて、表示データを生成するとともに、その表示データによる情報を第２の表示部に表示させる第２の表示ステップと
を有する表示方法。
【請求項１８】
請求項１７に記載の表示方法において、
上記第２の機器において、文字多重放送を受信する第２の放送受信ステップを有し、
上記第２の表示ステップでは、上記第２の放送受信ステップによって受信した文字多重放送のデータと、上記データ受信ステップによって受信した文字多重放送のデータとを、上記第２の表示部のそれぞれ異なる領域に表示させる
ようにした表示方法。
【発明の詳細な説明】
【０００１】
【発明の属する技術分野】
この発明は、表示方法に関する。
【０００２】
【従来の技術】
ＦＭ放送においては、文字情報などの番組を音声の番組と一緒に放送する技術が実用化されている。このＦＭ文字多重放送は、日本の場合、ＤＡＲＣ方式と呼ばれ、文字情報などのデジタルデータが音声番組の信号に周波数多重化して放送されるものである。
【０００３】
そして、文字情報としては、ニュース、天気予報、交通情報、音声番組を補完する番組（例えば、音声番組が音楽であれば、その曲名、演奏者など）などがあり、さらに、ＧＰＳ情報、ＶＩＣＳ情報なども放送されている。
【０００４】
【発明が解決しようとする課題】
ところが、現行のＦＭ文字多重放送受信機においては、受信した文字情報を複数の機器で共有することができない。
【０００５】
したがって、ある受信機で受信した文字情報を複数の機器で表示したり、いくつかの文字番組を複数の機器に分散して表示したりすることができない。また、複数のＦＭ文字多重水平受信機で受信した複数の文字番組を１つの表示デバイスにまとめて表示することができない。
【０００６】
この発明は、これらの問題点を解決しようとするものである。
【０００７】
【課題を解決するための手段】
このため、この発明においては、
文字多重放送を受信する放送受信部と、
この放送受信部によって受信された上記文字多重放送を表示部に表示させる表示制御部と、
上記放送受信部によって受信された上記文字多重放送のデータを他の機器に送信するデータ送信部と
を有する文字多重放送データ送信機
とするものである。
したがって、ＦＭ文字多重放送受信機の受信した文字多重放送のデータを各機器が共有する。
【０００８】
【発明の実施の形態】
図１においては、２台のＦＭ文字多重放送受信機１０、２０と、１台のナビゲーション装置３０とを接続した場合を示す。
【０００９】
そして、受信機１０においては、ＦＭ文字多重放送の放送波信号が、アンテナ入力回路からＦＭ復調回路までを有するチューナ回路１１に供給されて音声番組のオーディオ信号（ステレオコンポジット信号あるいはモノラル信号）と、文字番組により変調されたＬＭＳＫ信号との多重化信号が取り出される。そして、この多重化信号がデコーダ回路１２に供給されて文字番組のデータがデコードおよびエラー訂正されて取り出され、このデータがシステム制御用のマイクロコンピュータ１３を通じてメモリ１４に格納されていく。
【００１０】
そして、キー１５を操作すると、メモリ１４に格納されたデータのうち、目的とする文字番組のデータが、マイクロコンピュータ１３によりメモリ１４から読み出され、この読み出されたデータがディスプレイコントローラ１６を通じて表示用のメモリ１７に書き込まれる。また、このとき、このメモリ１７に書き込まれたデータがディスプレイコントローラ１６により読み出されて表示信号が形成され、この表示信号が表示デバイス、例えばＬＣＤ１８に供給され、ＬＣＤ１８には、メモリ１７に書き込まれたデータに対応した文字、すなわち、目的とする文字番組が表示される。
【００１１】
さらに、この受信機１０はインターフェイス回路１９を有し、このインターフェイス回路１９がマイクロコンピュータ１３に接続されるとともに、外部のバスライン１００に接続される。
【００１２】
また、受信機２０も受信機１０と同様に構成されるもので、対応する回路には１０台に代わって２０台の参照符号を付けて説明は省略する。そして、この受信機２０のインターフェイス回路２９もバスライン１００に接続される。
【００１３】
さらに、ナビゲーション装置３０において、符号３１はそのナビゲーション装置本体である。このナビゲーション装置本体３１は、地図データの入ったＣＤ−ＲＯＭあるいはＤＶＤ−ＲＯＭ、走行位置および走行速度を検出するためのジャイロ装置、ＧＰＳ受信回路などを有する。
【００１４】
そして、このナビゲーション装置本体３１が、キー３５の操作にしたがってシステム制御用のマイクロコンピュータ３３により制御されて必要とするデータが取り出され、このデータがディスプレイコントローラ３６を通じて表示用のメモリ３７に書き込まれるとともに、コントローラ３６により読み出されて表示デバイス、例えばＬＣＤ３８に供給され、地図などのナビゲーション情報が表示される。また、このナビゲーション装置３０においても、マイクロコンピュータ３３が、インターフェイス回路３９を通じてバスライン１００に接続される。
【００１５】
なお、ＬＣＤ１８、２８、３８は、ドットの組み合わせにより各種の文字や図形などを表示するものとする。また、オーディオ信号系については、説明を省略する。
【００１６】
このような構成によれば、受信機１０の受信した文字番組のデータを、バスライン１００を通じて他の機器２０、３０に供給することができるとともに、受信機２０の受信した文字番組のデータを、バスライン１００を通じて機器１０、３０に供給することができる。あるいは、機器１０、３０は、バスライン１００を通じて受信機２０のメモリ２４のデータを得ることができ、機器２０、３０は、バスライン１００を通じて受信機１０のメモリ１４のデータを得ることができる。つまり、受信機１０、２０の受信した文字番組の情報をすべての機器１０、２０、３０で共有することができる。
【００１７】
なお、この場合、メモリ１４、２４にデータを格納したときのアドレス情報と、そのデータを示すインデックス画面のデータとを、それぞれの機器に送るようにすれば、各機器はインデックス画面を表示することができるとともに、そのインデックス画面に関連してアドレス情報を得ることができるので、これによりメモリ１４、２４のうち、本来のデータの格納されているアドレスを知ることができ、したがって、各機器はどの情報を表示するかを選択することができる。
【００１８】
したがって、例えば、図２に示すように、ＬＣＤ１８の上半分に受信機１０の受信した文字番組を表示し、下半分に受信機２０の受信した文字番組を表示することができる。あるいは、例えば、ＬＣＤ１８の上半分および下半分に番組情報および天気予報を表示し、ＬＣＤ２８の上半分および下半分にニュースおよび交通情報を表示することができる。そして、これらの場合には、ユーザは複数の情報を同時に得ることができる。
【００１９】
また、例えば、図３に示すように、異なる文字番組をスクロールにより順番に表示することもでき、この場合には、ユーザは探している情報を複数の番組の中から容易に選択することができる。
【００２０】
さらに、受信機１０により文字番組に含まれるＶＩＣＳ情報を受信し、受信機２０により文字番組に含まれる差分ＧＰＳ情報を受信し、これらの情報をナビゲーション装置３０に供給すれば、より精度の高いナビゲーション情報を表示することができる。
【００２１】
こうして、上述のシステムによれば、受信機１０、２０の受信した文字番組のデータをメモリ１４、２４に格納するとともに、バスライン１００を通じてメモリ１４、２４を他の機器からアクセスできるようにしているので、受信した文字番組のデータを各種の機器１０、２０、３０で自由に利用することができる。
【００２２】
したがって、システム内にＦＭ文字多重放送を受信できる受信機が１台でも接続されていれば、その受信機で受信したデータをシステム内で共有することができる。また、これにより、ＦＭ文字多重放送の受信機能のない機器でも、その表示デバイスに文字情報を表示することができる。あるいは、ナビゲーション装置にＦＭ文字多重放送の受信機能がなくても、ＶＩＣＳ情報や差分ＧＰＳ情報を利用することができる。
【００２３】
さらに、ニュース、天気予報などの複数の文字番組をそれぞれの表示デバイスに分散して表示することにより同時に表示することができる。また、逆に、１つの表示デバイスに複数の文字番組を表示することもできる。
【００２４】
【発明の効果】
この発明によれば、受信した文字番組のデータを各種の機器で自由に利用することができる。
【図面の簡単な説明】
【図１】この発明の一形態を示す系統図である。
【図２】この発明を説明するための図である。
【図３】この発明を説明するための図である。
【符号の説明】
１０、２０…ＦＭ文字多重放送受信機、１１、２１…チューナ回路、１２、２２…デコーダ回路、１３、２３、３３…マイクロコンピュータ、１４、２４…メモリ、１６、２６、３６…ディスプレイコントローラ、１７、２７、３７…表示用メモリ、１８、２８、３８…ＬＣＤ、３０…ナビゲーション装置、３１…ナビゲーション装置本体
【図１】
0004048622.tif 000002
【図２】
0004048622.tif 000003
【図３】
0004048622.tif 000004